(57)【要約】【課題】例えばビーチボール等の遊具や広告表示体等に用いることのできる、内部に気体を充填して膨らませる風船体であって、意匠性・表示性に優れる風船体を提供すること。【解決手段】複数の樹脂シート片の周縁部を固着して気密体としてあり、前記樹脂シート片の１又は複数が透明性のある第１樹脂シート片であり、該第１樹脂シート片の内側に、穴部を有する第２樹脂シート片を互いの周縁部において固着してあるもので、前記第１樹脂シート片と前記第２樹脂シート片とが、さらに周縁部以外の１又は複数の部分で固着してある構成とする。【選択図】図１
2009258259.tif 000002
【特許請求の範囲】
【請求項１】
複数の樹脂シート片の周縁部を固着して気密体としてあり、前記樹脂シート片の１又は複数が透明性のある第１樹脂シート片であり、該第１樹脂シート片の内側に、穴部を有する第２樹脂シート片を互いの周縁部において固着してあることを特徴とする風船体
【請求項２】
前記第２樹脂シート片が有色シートであることを特徴とする請求項１記載の風船体。
【請求項３】
前記第１樹脂シート片と前記第２樹脂シート片とが、さらに周縁部以外の１又は複数の部分で固着してあることを特徴とする請求項１または請求項２記載の風船体。
【請求項４】
前記穴部が、文字又は模様の一部であることを特徴とする請求項１〜請求項３のいずれかに記載の風船体。
【請求項５】
前記第２樹脂シート片が、印字又は描画したものであることを特徴とする請求項１〜請求項４のいずれかに記載の風船体。
【請求項６】
前記第１樹脂シート片がポリエチレン／エチレンビニルアセテート／ポリエチレンの３層シートであって、かつ、前記第２樹脂シート片がエチレンビニルアセテートであることを特徴とする請求項１〜請求項５のいずれかに記載の風船体。
【発明の詳細な説明】
【技術分野】
【０００１】
本発明は、内部に気体を充填する風船体に関する。
【背景技術】
【０００２】
従来、膨らませて風船体にする球体の構造が知られている（例えば、特許文献１参照）。特許文献１には、ビニル球体で、半円形の２つの球体要素の間に円形のビニルシートを挟みこんだものが記載されている。
【特許文献１】登録実用新案第３０２５７９５号公報（図４）
【発明の開示】
【発明が解決しようとする課題】
【０００３】
上記特許文献１に記載されたビニル球体の構造は、内部にビニールシートがあるものの、外形は完全な球体で形の面白さに欠けるという問題があった。また、見る方向によっては内部のビニールシートが見づらく、表示性に欠けるという問題があった。
【０００４】
本発明は、上記従来技術からは得られなかった新規な効果を得るためになされたものであり、意匠性・表示性に優れる風船体を提供することを目的とする。
【課題を解決するための手段】
【０００５】
本発明の第１の態様は、複数の樹脂シート片の周縁部を固着して気密体としてあり、前記樹脂シート片の１又は複数が透明性のある第１樹脂シート片であり、該第１樹脂シート片の内側に、穴部を有する第２樹脂シート片を互いの周縁部において固着してあることを特徴とする風船体を提供する。本発明の第１の態様によれば、風船体に気体を充填させた時、第１樹脂シート片と前記第２樹脂シート片の間に気室ができる。ここで、気室には、例えば、気体を内部に含ませることのできる区切スペースで、完全な閉空間でないものを含む。第２樹脂シート片との固着部分を固定端として、第１樹脂シート片が外側に膨らみ第２樹脂シート片がその分内側に膨らむため、風船体の表面は各気室毎に膨らみを持った曲線的凸部を有する輪郭を得る。したがって、本発明の第１の態様によれば、従来にない形状と審美性を兼ね備えることができる。また、第１樹脂シート片と前記第２樹脂シート片の２重構造になっているので、適度な重さを有することができる。
【０００６】
風船体は、内部に気体を充填して膨らませるものであり、例えば、息を吹き込む等の方法で空気を充填してレジャーで使うビーチボール等の遊具や、同様に空気を充填して店頭の壁や天井や棚等に吊るしたり、床や棚に置いたりして、顧客にインパクトを与え購買意欲を喚起させ、販売促進を図る広告表示体が挙げられる。風船体の形状は、球体のボール形のほか、ラグビーボール形、ドーナツ形や飛行船形など、他の形状であってもよい。なお、樹脂シート片には、例えば胴体部分用の木の葉状あるいは台形の形状のもの、天地部分用の丸形の形状のものが挙げられるが、これに限定されない。樹脂シート片には、各種の樹脂シート、例えば、ビニール樹脂シート、エチレンビニルアセテート等の合成樹脂シートまたは天然樹脂シート、ポリエチレン／エチレンビニルアセテート／ポリエチレンの３層シート等の各種合成シート等が挙げられるが、これに限定されない。ビニール樹脂シートは、ノンフタル酸のビニール樹脂シートであることが好ましい。環境への負荷が軽減される。
【０００７】
前記第２樹脂シート片が有色シートであることが好ましい。有色シートの色には、例えば、白、青、赤、黄色等、多様な色が挙げられ、有色シートには、例えば、単色のシート、複数の色の部分を組み合わせた柄のシートが挙げられる。外側の第１樹脂シート片が透明であるため、内側にある第２樹脂シート片の色が、艶感のある色に見えるため、より意匠性に優れる。
【０００８】
前記第１樹脂シート片と前記第２樹脂シート片とが、さらに周縁部以外の１又は複数の部分で固着してあることがより好ましい。シート片の数を増やすことなく多くの気室を形成できるため、製造コストを増加させずに意匠性を高めることができる。また、かかる固着により独立した気室を形成したときは、第２樹脂シートには、独立した気室毎に少なくとも１つの穴を有することが好ましい。各気室に気体を充填でき、よって曲線的凸部を多数設けることができ、より意匠性に優れる。周縁部を除く固着部分の形状は、直線、円形等、形状を問わない。
【０００９】
また、前記穴部が、文字又は模様の一部であることが好ましい。通気用の穴が文字や模様を兼ねており、デザインを全く損なうことなく高い意匠性を実現できる。また、樹脂シート片に印刷しなくても、印刷したのと同等またはそれ以上の表示効果を発揮することができる。さらに、穴の一部について、裏から別の色の樹脂シートを重ねて周囲を固着させることによって、その穴によって描かれる文字や模様を強調させて見る者によりインパクトを与えることができる。
【００１０】
前記第２樹脂シート片が、印字又は描画したものであることも好ましい。風船体の表面でなく、内側に印字・描画面があるため、風船体を触ったり投げたり蹴ったりしても、文字や絵がこすれず、また外気や雨などに触れないので、耐候性にも優れる。印字・描画は、印刷のほか、絵の具等によるペイントなどでもよい。
【００１１】
また、前記第１樹脂シート片がポリエチレン／エチレンビニルアセテート／ポリエチレンの３層シートであって、かつ、前記第２樹脂シート片がエチレンビニルアセテートであることが好ましい。上記３層シートは、弾性に優れるため、よく弾み、張りがあるため、各気室毎の膨らみを持った曲線的凸部を大きくすることができる。また、温度によって伸び縮みが少ないので、長時間、張りを保つことができ、店頭等に飾る広告表示体としても優れている。また環境に負荷がかかりにくい。
【発明の効果】
【００１２】
本発明の風船体によれば、上述したように構成されており、表面に凸部を有するので意匠性・表示性に優れる。
【発明を実施するための最良の形態】
【００１３】
以下、本発明の風船体について、実施例を用いて具体的に説明するが、本発明はこれらに限定されるものではない。
【実施例】
【００１４】
［実施例１］
図１は、本発明の実施例１の風船体の斜視図である。また、図２は、本発明の実施例１の風船体の底面図である。本発明の実施例１の風船体１はビーチボールとして用いることのできる遊具で、複数の樹脂シート片の周縁部を固着して気密体としてあり、前記樹脂シート片の１又は複数が透明性のある第１樹脂シート片であり、該第１樹脂シート片の内側に、穴部を有する第２樹脂シート片を互いの周縁部において固着してあるものである。
【００１５】
図１は、空気を充填した状態の風船体を示す。実施例１では、第１樹脂シート片として、６枚の木の葉状透明シート２及び２枚の丸形透明シート４を、第２樹脂シート片として、６枚の木の葉状有色シート３及び２枚の丸形有色シート５を有する。木の葉状有色シート３及び丸形有色シート５には、小円の穴部７を有する。木の葉状透明シート２及び丸形透明シート４は、透明で、ポリエチレン／エチレンビニルアセテート／ポリエチレンの３層シートからなる。木の葉状有色シート３は、白色が２枚、青色が２枚、赤色が１枚、黄色が１枚で、丸形有色シート５は、黄色と白色が１枚ずつで、木の葉状有色シート３及び丸形有色シート５はエチレンビニルアセテートシートからなる。木の葉状透明シート２と木の葉状有色シート３は、同じ形状でそれぞれ１枚ずつペアになっており、丸形透明シート４と丸形有色シート５も同様である。
【００１６】
ペアとなる木の葉状透明シート２と木の葉状有色シート３とはその周縁部及び木の葉状透明シート２と木の葉状有色シート３において互いに固着してある。したがって、ペアとなる木の葉状透明シート２と木の葉状有色シート３の間には、閉じた袋状になった区切スペースを２つ有する。木の葉状有色シート３の穴部７は、各区切スペースについて、１箇所以上設けてある。木の葉状有色シート３及び丸形有色シート５に設けられた穴部７は、通気孔としての役割を果たし、風船体に空気を充填させる際、内部にほぼ空気が満たされた後、穴部７から各区切スペース内にも空気が入り込み、区切スペース内部が膨らんで気室９となる。区切スペースにおいて木の葉状透明シート２が風船体の外側方向に、木の葉状有色シート３が風船体の内側方向に膨らむので、風船体の形状は各気室毎に曲線的凸部を有し、各木の葉状透明シート２について２つの凸部を有する形状となる。
【００１７】
本発明の実施例１の風船体１は、次のように製造する。
【００１８】
ポリエチレン／エチレンビニルアセテート／ポリエチレンの３層シート（ＰＯ系コンビニトーメー（ＰＥ／ＥＶＡ／ＰＥ）；オカモト株式会社製）で厚み０．２ｍｍのシート生地から、金型で、木の葉状の形に６枚に切り抜いて木の葉状透明シート２を作成し、丸形に２枚切り抜いて丸形透明シート４を作成する。エチレンビニルアセテートシート（東亜合成株式会社製）で厚み０．２ｍｍのシート生地から、金型で、木の葉状の形に６枚に切り抜いて木の葉状有色シート３を作成し、丸形に２枚切り抜いて丸形有色シート５を作成する。木の葉状有色シート３は本実施例では梨地であるが、光沢地でもよい。各シート生地を複数枚重ね合わせて一度に型抜きしてもよい。木の葉状有色シート３と丸形有色シート５には、小円の穴部７を金型で抜く。形成する気室の箇所や数に応じて穴部７を設ける場所や数を調整する。金型は、抜型で、精錬鋼や鋳物が好ましい。
【００１９】
ペアとなる木の葉状透明シート２と木の葉状有色シート３を、周縁部を揃えて重ね合わせ、長手方向を縦方向として、中央に縦１直線に端から端まで押型で誘電溶着する。実施例１において、各シートの固着は、高周波ウェルダー（ＫＷ−４０００Ｔ：精電舎電子工業株式会社製）を用いて誘電溶着して行う。押型は、溶着のみで切断を同時に行わない場合に用いられる金型で、下方が平坦になっている。
【００２０】
次に、木の葉状透明シート２と木の葉状有色シート３のペア２つを、１つめの木の葉状透明シート２、１つめの木の葉状有色シート３、２つめの木の葉状有色シート３、２つめの木の葉状透明シート２の順で重ね合わせ、長手方向の１のハギ線、すなわち周縁部のうち長辺１辺を、Ｒ型の切型で誘電溶着する。切型は、誘電溶着と同時に端を切断する場合に用いられる金型で、下方外側が鋭角になっている切り刃となっている。Ｒ型はカーブを有する曲線の型で、実施例１においては６枚ハギで球体となるカーブを有する型を用いる。
【００２１】
さらに、１つめのペアに溶着された２つめのペアのうえに、さらに３つめのペアを、２つめの木の葉状透明シート２、２つめの木の葉状有色シート３、３つめの木の葉状有色シート３、３つめの木の葉状透明シート２の順で重ね合わせ、長手方向の１のハギ線を切型で誘電溶着する。このとき誘電溶着するハギ線は、１つめのペアと溶着したハギ線と対辺となる周縁部である。
【００２２】
同様にして、４つめのペア、５つめのペア、６つめのペアの順に溶着して繋げた後、木の葉状透明シート２を表側にして、６つめのペアと１つめのペアを、１つめの木の葉状透明シート２、１つめの木の葉状有色シート３、６つめの木の葉状有色シート３、６つめの木の葉状透明シート２の順で重ね合わせ、残った最後のハギ線を、ハの字型の切型で誘電溶着する。ハの字型は、中央部分が空いたＲ型で、中央部分は誘電溶着されない。
【００２３】
６つのペアが誘電溶着されて筒状になる。これは風船体１の胴体部分になる。１つめのペアと６つめのペアを誘電溶着した辺の中央部分にある隙間から、つけ台（高さ５ｃｍ程度の足部を有する小さなテーブル状の台）を差し入れて、底となる部分を上に向けて、胴体部分の木の葉状有色シート３の表面側に木の葉状透明シート２が重ねてあるうえに、１つめの丸形有色シート５、１つめの丸形透明シート４の順に重ね合わせ、丸型の押型で丸形のシートの周縁部を誘電溶着する。１つめの丸形有色シート５と１つめの丸形透明シート４とは同じ形状で、誘電溶着に際し、周縁部を揃えておく。
【００２４】
２つめの丸形有色シート５、同じ形状の２つめの丸形透明シート４は、周縁部を揃えて重ね合わせ、中央に穴をあけて空気栓６を取り付け、その周囲を丸型の押型で誘電溶着する。
【００２５】
底部分をとりつけた胴体部分の頂上となる部分を上に向けて、つけ台を用いて、木の葉状有色シート３の表面側に木の葉状透明シート２が重ねてあるうえに、２つめの丸形有色シート５、２つめの丸形透明シート４の順に重ね合わせ、丸型の押型で丸形のシートの周縁部を誘電溶着する。
【００２６】
つけ台を取り出した後、１つめのペアと６つめのペアを誘電溶着した辺の中央部分にある隙間をＲ型の切型で誘電溶着してとじる。
【００２７】
本発明の実施例１の風船体１は、上述した構成であるので、次のような効果を奏する。
【００２８】
風船体に気体を充填させた時、気室が胴体部分に１２箇所、頂上部分及び底部分にそれぞれ１箇所できる。固着部分を固定端として、外側にある透明シートが外側に膨らみ内側にある有色シートがその分内側に膨らむため、風船体の表面は各気室毎に膨らみを持った曲線的凸部を有する輪郭を得る。したがって、従来にない形状と審美性を兼ね備えることができる。また、膨らませる前は、通常の円形の輪郭のボール体を想像するため、膨らませたとき、一定以上膨張すると輪郭が凸凹に変形していくので意外性がある。
【００２９】
さらに、木の葉状有色シートが梨地であるため、木の葉状有色シート３の表面が木の葉状透明シート２の裏面に貼り付きにくく、確実に気室を得ることができる。
【００３０】
２重構造になっているので、適度な重さを有することができ、よって風船体を投げたり受け止めたりする際にふわふわとせず、投げたり受け止めたりしやすい。また、バスケットボールなど球技用のボールでは硬くて遊ぶのに危険な小さい子供でも、本発明の風船体では、柔らかさを維持したまま適度な重量を有するため満足感を得られやすい。
【００３１】
外側の透明シートを通して内側の有色シートを視認するので、有色シートの色が艶のある、より美しい色に見えるため、意匠性に優れる。
【００３２】
表面に用いる３層シートは、弾性に優れるため、弾ませたり、投げ合ったりする遊具としても優れ、張りがあるため、各気室毎の膨らみを持った曲線的凸部を大きくすることができる。また、環境への負荷がかかりにくい。
【００３３】
実施例１の変形例として、例えば、以下の変形例が挙げられる。
【００３４】
実施例１においては、木の葉状透明シート２及び丸形透明シート４は上述した３層シートで、木の葉状有色シート３及び丸形有色シート５はエチレンビニルアセテートシートであるが、これらの素材の代わりに塩化ビニル樹脂シートを用いてもよい。ただし環境への負荷がかかる。塩化ビニル樹脂シートは、環境ホルモンの発生のおそれがあるフタル酸エステルを含まないノンフタル酸塩化ビニル樹脂シートであることが好ましい。
【００３５】
実施例１においては、木の葉状有色シート３や丸形有色シート５は、色の異なる単色のシートを組み合わせたが、全て同じ色でもよいし、１または複数が別々の色でもよく、全て異なる色でもよい。また、１つのシートに複数の色が色分けされて柄になっていてもよいし、文字や絵などの模様がシルク印刷等で印刷されたり絵の具やペンなどで描かれていてもよい。印刷・絵画面がボールの表面でなく内部にあるので、遊戯時に印刷等が擦削されたり洗い流されたりするおそれがない。したがって耐候性がありアウトドアで用いる場合にも適している。また、印刷部分のある有色シートがやや内側にへこみ外側の透明シートがやや外側に膨らむので、有色シートの印刷部分が艶感を伴ってやや立体的に視認され、審美性に優れる。したがって、記念品等で文字や模様の部分を浮き立たせたい、長期間保持したいという場合にも適する。
【００３６】
実施例１においては、表面が全面透明シートで、その内側に全面不透明な有色シートであるが、表面の一部に不透明な部分があったり、表面のシートの内側に有色シートを有しない部分が一部にあってもよい。ただし、全体的な艶感が一部に制限されたり、表面の曲線的凸部が一部なくなり、審美性にはやや欠ける。また、透明シートの代わりに色透明のシートでもよい。ただし、内部の有色シートの色が変色して見えるため、審美性にやや欠けることがある。
【００３７】
実施例１においては、透明シートの内側のシートは有色シートであるが、内側シートの一部または全部が透明性を有するシートであってもよい。ただし艶のある不透明色を楽しめない部分が生じる。
【００３８】
実施例１においては、木の葉状有色シート３の穴部７は小円の穴で、通気孔の役割を果たすが、穴部７の形状が文字や模様の一部又は全部となっていてもよい。見る者に通気孔ということを感じさせず、審美性が高い。また、表示する内容によって印刷と同等以上の表示効果を発揮可能である。各気室につき1つの穴部７が通気可能であれば、他の穴部７については、裏に別の有色シートを貼り付ける、裏貼りを行うことにより、その穴部７の文字や模様について別の印象を与えることができる。裏貼りにより強調された文字や模様は見る者によりインパクトを与えうる。
【００３９】
実施例１においては、木の葉状透明シート２と木の葉状有色シート３とは、周縁部以外でも固着させてあるが、固着部分が周縁部のみでもよいし、固着部分が、周縁部以外に複数箇所で固着させてもよい。固着する部分の形状は、周縁部以外では、直線のほか、円形、楕円形、星型、ハート型、文字型等、金型が作成可能な形状であれば任意の形状が可能である。また、任意の形に切り抜いたシート片の一部または全部を木の葉状有色シートに固着させて飾りにしてもよい。これらの変形例は、遊具としての意匠性がより高い。
【００４０】
実施例１においては、風船体１内部は空洞であるが、内部に鈴などを入れてもよい。風船体１を動かすたびに音でも楽しめる。
【００４１】
実施例１においては、風船体１は球体であるが、ラグビーボール形、ドーナツ形等他の形状であってもよい。
【００４２】
［実施例２］
図３は、本発明の実施例２の風船体の構成図である。本発明の実施例２の風船体１は、木の葉状透明シート２と木の葉状有色シート３との固着部分が周縁部のみである風船体である。固着部分が異なる点及び頂上部分と底部分に丸形有色シートを有しない点を除き、基本的な構成は、上述した実施例１と同様である。また、実施例２は、ペアとなる木の葉状透明シート２と木の葉状有色シート３を、周縁部を揃えて重ね合わせ、長手方向を縦方向として、中央に縦１直線に端から端まで押型で誘電溶着する工程がない以外は製造方法は上述した実施例１と同様である。また、実施例２は、風船体に気体を充填させた時、気室が胴体部分に６箇所である点を除き実施例１と同様な効果を有する。
【００４３】
［実施例３］
本発明の実施例３の風船体１は広告表示体で、基本的な構成及び製造方法は上述した実施例１と同様である。
【００４４】
図４は、本発明の実施例３の風船体の製造工程の一部である。実施例３では、木の葉状有色シート３の穴部７の形状が文字及び模様部分となっている。さらに、模様部分については、穴部７の裏に、模様用有色シート８が固着されている。
【００４５】
図４（ａ）は、木の葉状有色シート３ａに穴部７ａ〜７ｆとして文字及び模様を切り抜いて、模様用の穴部７ｅの裏面側に裏貼りする模様用有色シート８を重ね合わせる工程を示す。
【００４６】
図４（ｂ）は、木の葉状透明シート２ａ、木の葉状有色シート３ａ、模様用有色シート８の順に重ね合わせて押型で溶着する工程を示す。木の葉状有色シート３ａと木の葉状透明シート２ａとを固着させるための直線形の溶着部１０ａ、及び、木の葉状有色シート３ａと木の葉状透明シート２ａと模様用有色シート８とを固着させるための丸形の溶着部１０ｂを有する。なお、木の葉状透明シート２ａの下に透けて見える木の葉状有色シート３ａの輪郭及び穴部７は図示を省略した。
【００４７】
図４（ｃ）は、ペアとなる木の葉状透明シート２ａ、木の葉状有色シート３ａ、別のペアとなる木の葉状有色シート３ｂ、木の葉状透明シート２ｂの順に重ね合わせて周縁部をＲ型の切型で溶着する工程を示す。４枚を固着させるための溶着部１０ｃを示し、木の葉状透明シート２ａの下に透けて見える木の葉状有色シート３ａの輪郭及び穴部７及び溶着部１０ａ、１０ｂ等については図示を省略した。木の葉状透明シート２と木の葉状有色シート３と模様用有色シート８とを同時に誘電溶着する。実施例３においては丸型を用いるが、形状に応じて、適切な型を用いることができる。あるいは、木の葉状透明シート２と重ね合わせる前に模様用有色シート８を穴部７の裏に押型で誘電溶着してもよい。
【００４８】
本発明の実施例３の風船体１は、上述した構成であるので、次のような効果を奏する。
【００４９】
風船体に気体を充填させた時、気室が胴体部分に１２箇所、頂上部分及び底部分にそれぞれ１箇所できる。固着部分を固定端として、外側にある透明シートが外側に膨らみ内側にある有色シートがその分内側に膨らむため、風船体の表面は各気室毎に膨らみを持った曲線的凸部を有する輪郭を得る。したがって、従来にない形状と審美性を兼ね備えることができる。さらに、裏貼りした模様部分は膨らみや色が周囲の部分と異なるため特別な印象を与え、広告効果を高めることができる。
【００５０】
外側の透明シートを通して内側の有色シートを視認するので、有色シートの色が艶のある、より美しい色に見えるため、意匠性に優れ、顧客を惹きつけるため、広告効果が高い。
【００５１】
また、内側の有色シートに、穴による文字や模様を有するので、印刷の必要がなく、さらに外側の透明シートを通して文字等を視認するので、文字等のインパクトが強まり、印刷以上の広告効果を呈することが可能である。
【００５２】
表面に用いる３層シートは、温度によって伸び縮みが少ないので、長時間、張りを保つことができ、店頭等に飾る広告表示体としても優れている。また、弾性に優れ、張りがあり、各気室毎の膨らみを持った曲線的凸部を大きくすることができる。また、環境への負荷がかかりにくい。
【００５３】
実施例３の変形例としても、例えば、実施例１の変形例と同様な変形例、また以下の変形例が挙げられる。
【００５４】
実施例３においては、木の葉状有色シート３の穴部７は、模様等であったが、穴部７が小さな通気孔であってもよい。
【００５５】
実施例３においては、形状は球体であったが、飛行船型等別の形態の広告表示体であってもよい。飛行船型では、胴体部分が木の葉状透明シートと木の葉状有色シートは各４枚で構成され、さらに複数の翼部分や前頭部やテール部も透明シートと有色シートで構成することができる。胴体部分に翼部分を固着する際は、楕円型の押型に翼部分のシートを巻きつけて胴体部分に誘電溶着する。
【００５６】
［実施例４］
図５は、本発明の実施例４の風船体の構成図である。図５においては内部構造の図示を省略した。図６は、本発明の実施例４の風船体のＡ−Ａ線端面図である。本発明の実施例４の風船体１は気球型広告表示体で、胴体部分は木の葉状の下方部分が狭くなったしゃもじ形のシートで構成され、頂上部及び底部に丸形透明シートを有しないこと、底部が二重構造となっていて間に厚紙を挟んで底部が平らになるようにしてあること、下部及び空気栓６に紐取付部１３を有する点の他は、基本的な構成及び製造方法は上述した実施例１と同様である。また、実施例４は、穴による文字や模様によってもたらされる効果以外は、上述した実施例３と同様な効果を奏する。
【００５７】
［実施例５］
図７は、本発明の実施例５の風船体１の構成図である。本発明の実施例４の風船体１は広告表示体で、基本的な構成及び製造方法は上述した実施例１と同様である。実施例５では、木の葉状有色シート３に、穴部７、模様用有色シート８を裏に張った穴部７、印刷部１１、飾り部１２を有する。印刷部１１には、文字が印刷されている。飾り部１２は、花形の形に切り抜いたシート片を、中央の部分のみ誘電溶着してあとの部分は自由に動く状態のまま木の葉状有色シートの表面側に予め木の葉状有色シートに固着してある。飾り部１２をつけた木の葉状有色シート３に木の葉状透明シート２を重ね合わせて周縁部を固着させてある。風船体１に気体を充填させると花形の飾り部１２は誘電溶着した部分以外が木の葉状有色シート３の表面から離れて立体的な飾りになる。本実施例は、実施例３と同様な効果を奏するが、意匠性はさらに高く、広告表示効果が高い。
【００５８】
なお、本発明は、上記実施の形態に限定されず、その発明の趣旨を逸脱しない範囲で種々と変形実施が可能である。また、上記実施の形態の構成要素を発明の趣旨を逸脱しない範囲で任意に組み合わせることができる。
【図面の簡単な説明】
【００５９】
【図１】本発明の実施例１の風船体の斜視図である。
【図２】本発明の実施例１の風船体の底面図である。
【図３】本発明の実施例２の風船体の構成図である。
【図４】本発明の実施例３の風船体の製造工程の一部である。
【図５】本発明の実施例４の風船体の構成図である。
【図６】本発明の実施例４の風船体のＡ−Ａ線端面図である。
【図７】本発明の実施例５の風船体１の構成図である。
【符号の説明】
【００６０】
１    風船体
２    木の葉状透明シート
３    木の葉状有色シート
４    丸形透明シート
５    丸形有色シート
６    空気栓
７    穴部
８    模様用有色シート
９    気室
１０  溶着部
１１  印刷部
１２  飾り部
１３  紐取付部
【図１】
2009258259.tif 000003
【図２】
2009258259.tif 000004
【図３】
2009258259.tif 000005
【図４】
2009258259.tif 000006
【図５】
2009258259.tif 000007
【図６】
2009258259.tif 000008
【図７】
2009258259.tif 000009